(57)【要約】【課題】  電源切断時のマナーモードの設定状態に依存することなく、ユーザの選択により、音声を出力せずに電源の投入を行なう。【解決手段】  電源キーおよび消音キーを有する操作部と、電源投入時に電源キーが起動所要時間に渡り継続して押下されたかどうかを判定するタイマ判定部（１２ｂ）と、電源キーが押下されている間に消音キーが押下されたかどうかを判定するＡＮＤ判定部（１２ａ）と、電源キーが起動所要時間に渡り継続して押下され、かつ、電源キーが押下されている間に消音キーが押下された場合に、消音モードで起動すべきことを示す信号を出力するモード判定部（１２ｃ）と、消音モードで起動すべきことを示す信号が入力されたときは、消音モードで起動動作を行なう起動制御部（１４）と、を備える。【選択図】  図３
2006180142.tif 000002
【特許請求の範囲】
【請求項１】
スピーカから音声を出力し得る通常モード、および前記スピーカから音声を出力しない消音モードの少なくとも２種類の音声モードを有し、いずれかの音声モードを選択して設定可能な携帯端末装置であって、
電源キーおよび消音キーを有する操作部と、
電源投入時に前記電源キーが起動所要時間に渡り継続して押下されたかどうかを判定するタイマ判定部と、
前記電源キーが押下されている間に前記消音キーが押下されたかどうかを判定するＡＮＤ判定部と、
前記電源キーが起動所要時間に渡り継続して押下され、かつ、前記電源キーが押下されている間に前記消音キーが押下された場合に、消音モードで起動すべきことを示す信号を出力するモード判定部と、
前記消音モードで起動すべきことを示す信号が入力されたときは、前記消音モードで起動動作を行なう起動制御部と、を備えることを特徴とする携帯端末装置。
【請求項２】
スピーカから音声を出力し得る通常モード、および前記スピーカから音声を出力しない消音モードの少なくとも２種類の音声モードを有し、いずれかの音声モードを選択して設定可能な携帯端末装置であって、
電源キーおよび消音キーを有する操作部と、
電源投入時に前記電源キーが起動所要時間に渡り継続して押下されたかどうかを判定するタイマ判定部と、
前記電源キーが起動所要時間に渡り継続して押下された後、消音モード設定時間内に前記消音キーが押下されたかどうかを判定するＡＮＤ判定部と、
前記電源キーが起動所要時間に渡り継続して押下され、かつ、消音モード設定時間内に前記消音キーが押下された場合に、消音モードで起動すべきことを示す信号を出力するモード判定部と、
前記消音モードで起動すべきことを示す信号が入力されたときは、前記消音モードで起動動作を行なう起動制御部と、を備えることを特徴とする携帯端末装置。
【請求項３】
スピーカから音声を出力し得る通常モード、および前記スピーカから音声を出力しない消音モードの少なくとも２種類の音声モードを有し、いずれかの音声モードを選択して設定可能な携帯端末装置であって、
電源キーを有する操作部と、
電源投入時に前記電源キーが起動所要時間に渡り継続して押下されたかどうかを判定すると共に、前記電源キーが起動所要時間に渡り継続して押下された後、消音モード設定時間内に前記電源キーが再び押下されたかどうかを判定するタイマ判定部と、
前記電源キーが起動所要時間に渡り継続して押下され、かつ、消音モード設定時間内に前記電源キーが再び押下された場合に、消音モードで起動すべきことを示す信号を出力するモード判定部と、
前記消音モードで起動すべきことを示す信号が入力されたときは、前記消音モードで起動動作を行なう起動制御部と、を備えることを特徴とする携帯端末装置。
【請求項４】
スピーカから音声を出力し得る通常モード、および前記スピーカから音声を出力しない消音モードの少なくとも２種類の音声モードを有し、いずれかの音声モードを選択して設定可能な携帯端末装置であって、
電源キーおよび消音キーを有する操作部と、
電源投入時に前記電源キーが押下されたかどうかを判定する電源キー操作判定部と、
前記電源キーが押下された後、消音モード設定時間内に前記消音キーが押下されたかどうかを判定するタイマ判定部と、
前記電源キーが押下され、かつ、消音モード設定時間内に前記消音キーが押下された場合に、消音モードで起動すべきことを示す信号を出力するモード判定部と、
前記消音モードで起動すべきことを示す信号が入力されたときは、前記消音モードで起動動作を行なう起動制御部と、を備えることを特徴とする携帯端末装置。
【請求項５】
スピーカから音声を出力し得る通常モード、および前記スピーカから音声を出力しない消音モードの少なくとも２種類の音声モードを有し、いずれかの音声モードを選択して設定可能な携帯端末装置であって、
電源キーを有する操作部と、
電源投入時に前記電源キーが押下されたかどうかを判定する電源キー操作判定部と、
前記電源キーが押下された後、消音モード設定時間内に前記電源キーが再び押下されたかどうかを判定するタイマ判定部と、
前記電源キーが押下され、かつ、消音モード設定時間内に前記電源キーが再び押下された場合に、消音モードで起動すべきことを示す信号を出力するモード判定部と、
前記消音モードで起動すべきことを示す信号が入力されたときは、前記消音モードで起動動作を行なう起動制御部と、を備えることを特徴とする携帯端末装置。
【発明の詳細な説明】
【技術分野】
【０００１】
本発明は、携帯端末装置に関し、特に、スピーカから音声を出力し得る通常モード、および前記スピーカから音声を出力しない消音モードの少なくとも２種類の音声モードを有し、いずれかの音声モードを選択して設定可能な携帯端末装置に関する。
【背景技術】
【０００２】
従来からマナーモードを設定することができる携帯電話機が知られている。このマナーモードとは、一般に、着信時に音を鳴らさずにバイブレータで振動を発するように動作するモードであるといわれている。このマナーモードを設定することができる携帯電話機の多くは、電源切断時にマナーモードが設定されているかどうかによって、次に電源を投入したときに、マナーモードの状態で起動するかどうかが決定される。
【０００３】
図１７は、従来から知られている携帯電話機の概略構成を示すブロック図である。この携帯電話機では、電源キー１００が押されたことをキー操作検出部１０１が検出し、起動制御部１０２に起動信号１１０を通知する。起動制御部１０２は、メモリー部１０７に格納されたマナーモードの設定の有無に従って、出力制御部１０３に対して、表示部１０４、音声出力部１０５およびバイブレータ部１０６の状態を設定するように制御する。ここでは、キー操作検出部１０１と起動制御部１０２とを分離して説明しているが、キー操作の情報が起動制御部に直接入力され、同様の動作を行なうことも可能である。
【特許文献１】特開２００３−２３６６８号公報
【発明の開示】
【発明が解決しようとする課題】
【０００４】
上記の携帯電話機は、電源を投入して起動するときに、スピーカから特有のサウンド（ウェイクアップ音）を発するように設定できるものが多く、その機能を利用しているユーザも多い。このウェイクアップ音は、マナーモードが解除されている状態で電源が投入されるときに鳴るものであり、マナーモードが設定されている状態で電源が投入されるときには鳴ることはない。
【０００５】
しかしながら、夜間や休日にマナーモードの設定を解除している携帯電話機のユーザが、就寝時等に電源を切断するときに、マナーモードを設定せずに電源を切断する場合がある。その後、ユーザが、マナーモードが解除されていることに気が付かずに、深夜や、交通機関を利用している最中や、学校や会社にいる場合などに電源投入を行なうと、音を鳴らしたくないにも関わらず、ウェイクアップ音が発してしまうこととなる。その結果、周囲に迷惑をかける場合もある。また、ウェイクアップ音を設定していない場合でも、マナーモードの設定を行なう前に何らかの情報を通知するサウンドが発生されることも起こりうる。
【０００６】
また、ごく一部には、外部にスライドスイッチが特別に設けられ、そのスライドスイッチの状態に応じてマナーモードの有無を決定する携帯電話機も存在する。しかし、携帯電話機の小型化および薄型化を図るためには、スライドスイッチおよびその配線スペースを設けることは回避すべきである。また、操作キー等の信号を処理するＬＳＩにスライドキーの処理用の回路や信号ピンを設けることも好ましいものではない。
【０００７】
本発明は、このような事情に鑑みてなされたものであり、電源切断時のマナーモードの設定状態に依存することなく、ユーザの選択により、音声を出力せずに電源の投入を行なうことができる携帯端末装置を提供することを目的とする。
【課題を解決するための手段】
【０００８】
（１）上記の目的を達成するため、本発明は、以下のような手段を講じた。すなわち、本発明に係る携帯端末装置は、スピーカから音声を出力し得る通常モード、および前記スピーカから音声を出力しない消音モードの少なくとも２種類の音声モードを有し、いずれかの音声モードを選択して設定可能な携帯端末装置であって、電源キーおよび消音キーを有する操作部と、電源投入時に前記電源キーが起動所要時間に渡り継続して押下されたかどうかを判定するタイマ判定部と、前記電源キーが押下されている間に前記消音キーが押下されたかどうかを判定するＡＮＤ判定部と、前記電源キーが起動所要時間に渡り継続して押下され、かつ、前記電源キーが押下されている間に前記消音キーが押下された場合に、消音モードで起動すべきことを示す信号を出力するモード判定部と、前記消音モードで起動すべきことを示す信号が入力されたときは、前記消音モードで起動動作を行なう起動制御部と、を備えることを特徴としている。
【０００９】
このように、電源キーが起動所要時間に渡り継続して押下され、かつ、電源キーが押下されている間に消音キーが押下された場合に、消音モードで起動動作を行なうので、電源切断時にいずれかの音声モードが設定されていたかに関わらず、消音モードで起動することができる。これにより、ウェイクアップ音を出力する設定がなされていたとしても、ユーザの選択により、ウェイクアップ音を出力させずに携帯端末装置を起動させることが可能となる。
【００１０】
（２）また、本発明に係る携帯端末装置は、スピーカから音声を出力し得る通常モード、および前記スピーカから音声を出力しない消音モードの少なくとも２種類の音声モードを有し、いずれかの音声モードを選択して設定可能な携帯端末装置であって、電源キーおよび消音キーを有する操作部と、電源投入時に前記電源キーが起動所要時間に渡り継続して押下されたかどうかを判定するタイマ判定部と、前記電源キーが起動所要時間に渡り継続して押下された後、消音モード設定時間内に前記消音キーが押下されたかどうかを判定するＡＮＤ判定部と、前記電源キーが起動所要時間に渡り継続して押下され、かつ、消音モード設定時間内に前記消音キーが押下された場合に、消音モードで起動すべきことを示す信号を出力するモード判定部と、前記消音モードで起動すべきことを示す信号が入力されたときは、前記消音モードで起動動作を行なう起動制御部と、を備えることを特徴としている。
【００１１】
このように、電源キーが起動所要時間に渡り継続して押下され、かつ、消音モード設定時間内に消音キーが押下された場合に、消音モードで起動することができる。これにより、ウェイクアップ音を出力する設定がなされていたとしても、ユーザの選択により、ウェイクアップ音を出力させずに携帯端末装置を起動させることが可能となる。
【００１２】
（３）また、本発明に係る携帯端末装置は、スピーカから音声を出力し得る通常モード、および前記スピーカから音声を出力しない消音モードの少なくとも２種類の音声モードを有し、いずれかの音声モードを選択して設定可能な携帯端末装置であって、電源キーを有する操作部と、電源投入時に前記電源キーが起動所要時間に渡り継続して押下されたかどうかを判定すると共に、前記電源キーが起動所要時間に渡り継続して押下された後、消音モード設定時間内に前記電源キーが再び押下されたかどうかを判定するタイマ判定部と、前記電源キーが起動所要時間に渡り継続して押下され、かつ、消音モード設定時間内に前記電源キーが再び押下された場合に、消音モードで起動すべきことを示す信号を出力するモード判定部と、前記消音モードで起動すべきことを示す信号が入力されたときは、前記消音モードで起動動作を行なう起動制御部と、を備えることを特徴としている。
【００１３】
このように、電源キーが起動所要時間に渡り継続して押下され、かつ、消音モード設定時間内に電源キーが再び押下された場合に、消音モードで起動することができる。これにより、ウェイクアップ音を出力する設定がなされていたとしても、ユーザの選択により、ウェイクアップ音を出力させずに携帯端末装置を起動させることが可能となる。また、このように、電源キーに消音キーの機能を持たせることにより、消音キーを特別に設ける必要がなくなるので、装置構成を簡略化させることが可能となる。
【００１４】
（４）また、本発明に係る携帯端末装置は、スピーカから音声を出力し得る通常モード、および前記スピーカから音声を出力しない消音モードの少なくとも２種類の音声モードを有し、いずれかの音声モードを選択して設定可能な携帯端末装置であって、電源キーおよび消音キーを有する操作部と、電源投入時に前記電源キーが押下されたかどうかを判定する電源キー操作判定部と、前記電源キーが押下された後、消音モード設定時間内に前記消音キーが押下されたかどうかを判定するタイマ判定部と、前記電源キーが押下され、かつ、消音モード設定時間内に前記消音キーが押下された場合に、消音モードで起動すべきことを示す信号を出力するモード判定部と、前記消音モードで起動すべきことを示す信号が入力されたときは、前記消音モードで起動動作を行なう起動制御部と、を備えることを特徴としている。
【００１５】
このように、電源キーが押下され、かつ、消音モード設定時間内に消音キーが押下された場合に、消音モードで起動することができる。これにより、ウェイクアップ音を出力する設定がなされていたとしても、ユーザの選択により、ウェイクアップ音を出力させずに携帯端末装置を起動させることが可能となる。
【００１６】
（５）また、本発明に係る携帯端末装置は、スピーカから音声を出力し得る通常モード、および前記スピーカから音声を出力しない消音モードの少なくとも２種類の音声モードを有し、いずれかの音声モードを選択して設定可能な携帯端末装置であって、電源キーを有する操作部と、電源投入時に前記電源キーが押下されたかどうかを判定する電源キー操作判定部と、前記電源キーが押下された後、消音モード設定時間内に前記電源キーが再び押下されたかどうかを判定するタイマ判定部と、前記電源キーが押下され、かつ、消音モード設定時間内に前記電源キーが再び押下された場合に、消音モードで起動すべきことを示す信号を出力するモード判定部と、前記消音モードで起動すべきことを示す信号が入力されたときは、前記消音モードで起動動作を行なう起動制御部と、を備えることを特徴としている。
【００１７】
このように、電源キーが押下され、かつ、消音モード設定時間内に電源キーが再び押下された場合に、消音モードで起動することができる。これにより、ウェイクアップ音を出力する設定がなされていたとしても、ユーザの選択により、ウェイクアップ音を出力させずに携帯端末装置を起動させることが可能となる。
【発明の効果】
【００１８】
本発明によれば、電源キーが起動所要時間に渡り継続して押下され、かつ、電源キーが押下されている間に消音キーが押下された場合に、消音モードで起動動作を行なうので、電源切断時にいずれかの音声モードが設定されていたかに関わらず、消音モードで起動することができる。これにより、ウェイクアップ音を出力する設定がなされていたとしても、ユーザの選択により、ウェイクアップ音を出力させずに携帯端末装置を起動させることが可能となる。
【発明を実施するための最良の形態】
【００１９】
次に、本発明の実施形態について、図面を参照しながら説明する。図１（ａ）は、本発明の実施形態に係る携帯電話機の外観の平面図であり、図１（ｂ）は、同裏面図である。図１（ａ）において、携帯電話機１の紙面に対して下方には、複数の操作キーを有する操作部２が設けられている。操作キーのうち、電源キー２ａは、電源の投入または切断を行なうためのキーである。また、消音キー２ｂは、消音モードの設定を行なうための特定のキーである。なお、本実施形態では、電源キー２ａと消音キー２ｂとを独立して設けた例を示すが、本発明はこれに限定されるわけではない。電源キー２ａおよび消音キー２ｂを他の操作キーと兼用することも可能である。
【００２０】
操作部２の紙面に対して上方には、液晶ディスプレイ、ＰＤＰまたは有機ＥＬディスプレイなどから構成される表示部３が設けられている。表示部３は、動画または静止画を表示する。携帯電話機１の紙面に対して下端には送話部４が設けられ、上端には受話部５が設けられている。また、携帯電話機１は、紙面に対して上端で突出するアンテナ部６が設けられており、このアンテナ部を介して無線信号を送受信する。また、図１（ｂ）に示すように、携帯電話機１の紙面に対して下方には、音声を出力するスピーカ７が設けられている。
【００２１】
携帯電話機１は、スピーカ７から音声を出力し得る通常モード、およびスピーカ７から音声を出力しない消音モードの少なくとも２種類の音声モードを有している。そして、これらのうちいずれか一つを設定できるように構成されている。なお、消音モードは、いわゆるマナーモードを含む概念であり、消音モードにおいては、音声を出力させない機能のみならず、振動することで着信を知らせるバイブレーション機能や、表示部３で画像を表示したり図示しないランプ類を点灯または点滅させたりすることで着信を知らせる機能を発揮することも可能である。
【００２２】
（第１の実施形態）
図２は、第１の実施形態に係る携帯電話機の概略構成を示すブロック図である。この携帯電話機では、電源キー１０によって電源の投入または切断を行なう。また、消音キー１１によって消音モードの設定を行なう。キー操作検出部１２は、ユーザによるキー操作を検出する。ここで、キー操作検出部１２が電源キー１０および消音キー１１の操作を検出した場合は、その操作態様に応じて、後述するように消音モードで起動すべき旨を示す信号１３を起動制御部１４へ出力する。起動制御部１４は、メモリー部１５に記録されている音声モードの設定に従って、出力制御部１６に対して起動時の制御を行なう。出力制御部１６は、起動制御部１４からの制御信号に基づいて、画像を表示する表示部１７、スピーカおよびヘッドホンへ音声を出力する音声出力部１８、および振動を生じるバイブレータ部１９の動作を制御する。
【００２３】
図３は、キー操作検出部１２の概略構成を示すブロック図である。電源キー１０が押下されたことを示す信号は、ＡＮＤ判定部１２ａおよびタイマ判定部１２ｂに入力される。ＡＮＤ判定部１２ａは、電源キーが押下されている間に消音キー１１が押下されたかどうかを判定する。また、タイマ判定部１２ｂは、電源投入時に電源キー１０が一定時間押下されたかどうか、すなわち、携帯電話機が起動するために必要な時間である起動所要時間に渡り継続して電源キー１０が押下されているかどうかを判定する。ＡＮＤ判定部１２ａおよびタイマ判定部１２ｂの判定結果を示す信号は、それぞれモード判定部１２ｃに入力される。モード判定部１２ｃは、ＡＮＤ判定部１２ａによる判定の結果、電源キー１０が押下されている間に消音キー１１が押下され、かつ、タイマ判定部１２ｂによる判定の結果、電源キー１０が起動所要時間に渡り継続して押下された場合に、消音モードにより起動すべきことを示す信号１３を起動制御部１４に対して出力する。
【００２４】
次に、以上のように構成された第１の実施形態に係る携帯電話機の動作について説明する。図４は、第１の実施形態に係る携帯電話機の動作の概略を示すフローチャートである。まず、携帯電話機は、電源が切断されている状態であることを前提とする。そして、電源キーが押下されたかどうかを判断する（ステップＳ１）。電源キーが押下されていない場合は、ステップＳ１の判断を繰り返す。一方、電源キーが押下された場合は、起動所要時間以上電源キーが押下されたかどうかを判断する（ステップＳ２）。起動所要時間に渡り継続して電源キーが押下されなければ、携帯電話機は起動しないため、ステップＳ２において、起動所要時間以上電源キーが押下されなかった場合は、ステップＳ１へ移行する。
【００２５】
また、ステップＳ２において、起動所要時間以上、電源キーが押下された場合は、起動所要時間内に消音キーが押下されたかどうかを判断する（ステップＳ３）。起動所要時間内に消音キーが押下されなかった場合は、通常の動作で起動する（ステップＳ４）。すなわち、図２に示す起動制御部１４は、メモリー部１５に記録されている音声モードに従って起動動作を行なう。メモリー部１５に通常モードが記録されていた場合で、ウェイクアップ音が設定されていた場合は、スピーカからウェイクアップ音を出力する。一方、メモリー部１５に消音モードが設定されていた場合は、音声を出力せずに起動動作を行なう。
【００２６】
一方、ステップＳ３において、起動所要時間内に消音キーが押下された場合は、消音モードで起動動作が行なわれる（ステップＳ５）。
【００２７】
以上の動作を時間の経過と共に表わすと、図５に示すようになる。すなわち、電源キーが、起動所要時間に渡り継続して押下されており、かつ、起動所要時間内に消音キーが押下された場合は、起動所要時間終了時に消音モードで起動動作が行なわれる。
【００２８】
以上のように、第１の実施形態に係る携帯電話機によれば、電源キーが起動所要時間に渡り継続して押下され、かつ、電源キーが押下されている間に消音キーが押下された場合に、消音モードで起動動作を行なうので、電源切断時にいずれかの音声モードが設定されていたかに関わらず、消音モードで起動することができる。これにより、ウェイクアップ音を出力する設定がなされていたとしても、ユーザの選択により、ウェイクアップ音を出力させずに携帯端末装置を起動させることが可能となる。
【００２９】
（第２の実施形態）
次に、第２の実施形態に係る携帯電話機について説明する。第２の実施形態に係る携帯電話機は、図３に示す第１の実施形態に係る携帯電話機１において、キー操作検出部１２の構成が異なり、図６に示すような構成を採る。その他の構成要素は、第１の実施形態に係る携帯電話機と同様である。
【００３０】
図６は、第２の実施形態に係る携帯電話機において、キー操作検出部２０の概略構成を示すブロック図である。電源キー１０が押下されたことを示す信号は、タイマ判定部２０ｂに入力される。タイマ判定部２０ｂは、電源投入時に電源キー１０が一定時間押下されたかどうか、すなわち、携帯電話機が起動するために必要な時間である起動所要時間に渡り継続して電源キー１０が押下されているかどうかを判定する。この判定の結果、起動所要時間に渡り継続して電源キー１０が押下された場合は、その旨を通知する信号をＡＮＤ判定部２０ａおよびモード判定部２０ｃに出力する。ＡＮＤ判定部２０ａは、上記起動所要時間経過後、一定時間、すなわち、消音モードを設定するための時間（消音モード設定時間）内に、消音キー１１が押下されたかどうかを判定する。ＡＮＤ判定部２０ａの判定結果を示す信号は、モード判定部２０ｃに入力される。
【００３１】
モード判定部２０ｃは、タイマ判定部２０ｂによる判定の結果、電源キー１０が起動所要時間に渡り継続して押下され、かつ、ＡＮＤ判定部２０ａによる判定の結果、消音モード設定時間内に消音キー１１が押下された場合に、消音モードにより起動すべきことを示す信号１３を起動制御部１４に対して出力する。
【００３２】
次に、以上のように構成された第２の実施形態に係る携帯電話機の動作について説明する。図７は、第２の実施形態に係る携帯電話機の動作の概略を示すフローチャートである。まず、携帯電話機は、電源が切断されている状態であることを前提とする。そして、電源キーが押下されたかどうかを判断する（ステップＴ１）。電源キーが押下されていない場合は、ステップＴ１の判断を繰り返す。一方、電源キーが押下された場合は、起動所要時間以上電源キーが押下されたかどうかを判断する（ステップＴ２）。起動所要時間に渡り継続して電源キーが押下されなければ、携帯電話機は起動しないため、ステップＴ２において、起動所要時間以上電源キーが押下されなかった場合は、ステップＴ１へ移行する。
【００３３】
また、ステップＴ２において、起動所要時間以上、電源キーが押下された場合は、起動所要時間経過後、消音モード設定時間内に消音キーが押下されたかどうかを判断する（ステップＴ３）。消音モード設定時間内に消音キーが押下されなかった場合は、通常の動作で起動する（ステップＴ４）。すなわち、図２に示す起動制御部１４は、メモリー部１５に記録されている音声モードに従って起動動作を行なう。メモリー部１５に通常モードが記録されていた場合で、ウェイクアップ音が設定されていた場合は、スピーカからウェイクアップ音を出力する。一方、メモリー部１５に消音モードが設定されていた場合は、音声を出力せずに起動動作を行なう。
【００３４】
一方、ステップＴ３において、消音モード設定時間内に消音キーが押下された場合は、消音モードで起動動作が行なわれる（ステップＴ５）。
【００３５】
以上の動作を時間の経過と共に表わすと、図８に示すようになる。すなわち、電源キーが、起動所要時間に渡り継続して押下され、その後、消音モード設定時間内に消音キーが押下された場合は、その消音キーが押下されたときに起動動作が開始される。なお、消音キーが消音モード設定時間内に押下された場合、消音モード設定時間経過後に起動動作を開始するようにしても良い。
【００３６】
以上のように、第２の実施形態に係る携帯電話機によれば、電源キーが起動所要時間に渡り継続して押下され、かつ、消音モード設定時間内に消音キーが押下された場合に、消音モードで起動することができる。これにより、ウェイクアップ音を出力する設定がなされていたとしても、ユーザの選択により、ウェイクアップ音を出力させずに携帯端末装置を起動させることが可能となる。
【００３７】
（第３の実施形態）
次に、第３の実施形態に係る携帯電話機について説明する。第３の実施形態に係る携帯電話機は、図３に示す第１の実施形態に係る携帯電話機１において、キー操作検出部１２の構成が異なり、図９に示すような構成を採る。また、消音キー１１の機能を電源キーに持たせるので、図３に示した第１の実施形態における消音キー１１およびＡＮＤ判定部１２ａを削除している。その他の構成要素は、第１の実施形態に係る携帯電話機と同様である。
【００３８】
図９は、第３の実施形態に係る携帯電話機において、キー操作検出部３０の概略構成を示すブロック図である。電源キー１０が押下されたことを示す信号は、タイマ判定部３０ａに入力される。タイマ判定部３０ａは、電源投入時に電源キー１０が一定時間押下されたかどうか、すなわち、携帯電話機が起動するために必要な時間である起動所要時間に渡り継続して電源キー１０が押下されているかどうかを判定する。また、上記起動所要時間経過後、消音モードを設定するための時間（消音モード設定時間）内に、電源キー１０が再度押下されたかどうかを判定する。この判定の結果、起動所要時間に渡り継続して電源キー１０が押下され、かつ、消音モード設定時間内に電源キー１０が再度押下された場合は、その旨を通知する信号をモード判定部３０ｂに出力する。
【００３９】
モード判定部３０ｂは、タイマ判定部３０ａによる判定の結果、電源キー１０が起動所要時間に渡り継続して押下され、かつ、消音モード設定時間内に電源キー１０が再度押下された場合に、消音モードにより起動すべきことを示す信号１３を起動制御部１４に対して出力する。
【００４０】
次に、以上のように構成された第３の実施形態に係る携帯電話機の動作について説明する。図１０は、第３の実施形態に係る携帯電話機の動作の概略を示すフローチャートである。まず、携帯電話機は、電源が切断されている状態であることを前提とする。そして、電源キーが押下されたかどうかを判断する（ステップＲ１）。電源キーが押下されていない場合は、ステップＲ１の判断を繰り返す。一方、電源キーが押下された場合は、起動所要時間以上電源キーが押下されたかどうかを判断する（ステップＲ２）。起動所要時間に渡り継続して電源キーが押下されなければ、携帯電話機は起動しないため、ステップＲ２において、起動所要時間以上電源キーが押下されなかった場合は、ステップＲ１へ移行する。
【００４１】
また、ステップＲ２において、起動所要時間以上、電源キーが押下された場合は、起動所要時間経過後、消音モード設定時間内に電源キーが再度押下されたかどうかを判断する（ステップＲ３）。消音モード設定時間内に電源キーが再度押下されなかった場合は、通常の動作で起動する（ステップＲ４）。すなわち、図２に示す起動制御部１４は、メモリー部１５に記録されている音声モードに従って起動動作を行なう。メモリー部１５に通常モードが記録されていた場合で、ウェイクアップ音が設定されていた場合は、スピーカからウェイクアップ音を出力する。一方、メモリー部１５に消音モードが設定されていた場合は、音声を出力せずに起動動作を行なう。
【００４２】
一方、ステップＲ３において、消音モード設定時間内に消音キーが押下された場合は、消音モードで起動動作が行なわれる（ステップＲ５）。
【００４３】
以上の動作を時間の経過と共に表わすと、図１１に示すようになる。すなわち、電源キーが、起動所要時間に渡り継続して押下され、その後、消音モード設定時間内に電源キーが再度押下された場合は、再度電源キーが押下されたときに起動動作が開始される。なお、消音モード設定時間内に電源キーが再度押下された場合、消音モード設定時間経過後に起動動作を開始するようにしても良い。
【００４４】
以上のように、第３の実施形態に係る携帯電話機によれば、電源キーが起動所要時間に渡り継続して押下され、かつ、消音モード設定時間内に電源キーが再び押下された場合に、消音モードで起動することができる。これにより、ウェイクアップ音を出力する設定がなされていたとしても、ユーザの選択により、ウェイクアップ音を出力させずに携帯端末装置を起動させることが可能となる。また、このように、電源キーに消音キーの機能を持たせることにより、消音キーを特別に設ける必要がなくなるので、装置構成を簡略化させることが可能となる。
【００４５】
（第４の実施形態）
次に、第４の実施形態に係る携帯電話機について説明する。第４の実施形態に係る携帯電話機は、図３に示す第１の実施形態に係る携帯電話機１において、キー操作検出部１２の構成が異なり、図１２に示すような構成を採る。その他の構成要素は、第１の実施形態に係る携帯電話機と同様である。
【００４６】
図１２は、第４の実施形態に係る携帯電話機において、キー操作検出部４０の概略構成を示すブロック図である。電源キー１０が押下されたことを示す信号、および、消音キー１１が押下されたことを示す信号は、タイマ判定部４０ａに入力される。タイマ判定部２０ｂは、電源投入時に電源キー１０が押下された後、消音モード設定時間内に、消音キーが押下されたかどうかを判定する。この判定の結果、電源キー１０が押下された後、消音モード設定時間内に、消音キーが押下された場合は、その旨を通知する信号をモード判定部４０ｂに出力する。
【００４７】
モード判定部４０ｂは、タイマ判定部４０ａによる判定の結果、電源キー１０が押下された後、消音モード設定時間内に、消音キーが押下された場合に、消音モードにより起動すべきことを示す信号１３を起動制御部１４に対して出力する。
【００４８】
次に、以上のように構成された第４の実施形態に係る携帯電話機の動作について説明する。図１３は、第４の実施形態に係る携帯電話機の動作の概略を示すフローチャートである。まず、携帯電話機は、電源が切断されている状態であることを前提とする。そして、電源キーが押下されたかどうかを判断する（ステップＰ１）。電源キーが押下されていない場合は、ステップＰ１の判断を繰り返す。一方、電源キーが押下された場合は、消音モード設定時間内に消音キーが押下されたかどうかを判断する（ステップＰ２）。消音モード設定時間内に消音キーが押下されなかった場合は、ステップＰ１へ移行し、消音モード設定時間内に消音キーが押下された場合は、消音モードで起動動作が行なわれる（ステップＰ３５）。
【００４９】
以上の動作を時間の経過と共に表わすと、図１４に示すようになる。すなわち、電源キーが押下され、その後、消音モード設定時間内に消音キーが押下された場合は、その消音キーが押下されたときに起動動作が開始される。なお、消音キーが消音モード設定時間内に押下された場合、消音モード設定時間経過後に起動動作を開始するようにしても良い。
【００５０】
以上のように、第４の実施形態に係る携帯電話機によれば、電源キーが押下され、かつ、消音モード設定時間内に消音キーが押下された場合に、消音モードで起動することができる。これにより、ウェイクアップ音を出力する設定がなされていたとしても、ユーザの選択により、ウェイクアップ音を出力させずに携帯端末装置を起動させることが可能となる。
【００５１】
（第５の実施形態）
次に、第５の実施形態に係る携帯電話機について説明する。第５の実施形態に係る携帯電話機は、図３に示す第１の実施形態に係る携帯電話機１において、キー操作検出部１２の構成が異なり、図９に示すように第３の実施形態におけるキー操作検出部３０と同様の構成を採る。また、消音キー１１の機能を電源キーに持たせるので、図９に示すように、図３に示した第１の実施形態における消音キー１１およびＡＮＤ判定部１２ａを削除している。その他の構成要素は、第１の実施形態に係る携帯電話機と同様である。
【００５２】
次に、以上のように構成された第５の実施形態に係る携帯電話機の動作について説明する。図１５は、第５の実施形態に係る携帯電話機の動作の概略を示すフローチャートである。まず、携帯電話機は、電源が切断されている状態であることを前提とする。そして、電源キーが押下されたかどうかを判断する（ステップＱ１）。電源キーが押下されていない場合は、ステップＱ１の判断を繰り返す。一方、電源キーが押下された場合は、消音モード設定時間内に、電源キーが再度押下されたかどうかを判断する（ステップＱ２）。消音モード設定時間内に、電源キーが再度押下されなかった場合は、ステップＱ１へ移行し、消音モード設定時間内に、電源キーが再度押下された場合は、消音モードで起動動作が行なわれる（ステップＱ３）。
【００５３】
以上の動作を時間の経過と共に表わすと、図１６に示すようになる。すなわち、電源キーが押下された後、消音モード設定時間内に、電源キーが再度押下された場合は、再度電源キーが押下されたときに起動動作が開始される。なお、消音モード設定時間内に電源キーが再度押下された場合、消音モード設定時間経過後に起動動作を開始するようにしても良い。
【００５４】
以上のように、第５の実施形態に係る携帯電話機によれば、電源キーが押下され、かつ、消音モード設定時間内に電源キーが再び押下された場合に、消音モードで起動することができる。これにより、ウェイクアップ音を出力する設定がなされていたとしても、ユーザの選択により、ウェイクアップ音を出力させずに携帯端末装置を起動させることが可能となる。
【図面の簡単な説明】
【００５５】
【図１】（ａ）は、本発明の実施形態に係る携帯電話機の外観の平面図であり、（ｂ）は、同裏面図である。
【図２】第１の実施形態に係る携帯電話機の概略構成を示すブロック図である。
【図３】第１の実施形態に係る携帯電話機のキー操作検出部の概略構成を示すブロック図である。
【図４】第１の実施形態に係る携帯電話機の動作の概略を示すフローチャートである。
【図５】第１の実施形態に係る携帯電話機において電源キーと消音キーの操作タイミングを時間の経過と共に表わした図である。
【図６】第２の実施形態に係る携帯電話機のキー操作検出部の概略構成を示すブロック図である。
【図７】第２の実施形態に係る携帯電話機の動作の概略を示すフローチャートである。
【図８】第２の実施形態に係る携帯電話機において電源キーと消音キーの操作タイミングを時間の経過と共に表わした図である。
【図９】第３の実施形態にかかる携帯電話機のキー操作検出部の概略構成を示すブロック図である。
【図１０】第３の実施形態に係る携帯電話機の動作の概略を示すフローチャートである。
【図１１】第３の実施形態に係る携帯電話機において電源キーと消音キーの操作タイミングを時間の経過と共に表わした図である。
【図１２】第４の実施形態に係る携帯電話機のキー操作検出部の概略構成を示すブロック図である。
【図１３】第４の実施形態に係る携帯電話機の動作の概略を示すフローチャートである。
【図１４】第４の実施形態に係る携帯電話機において電源キーと消音キーの操作タイミングを時間の経過と共に表わした図である。
【図１５】第５の実施形態に係る携帯電話機の動作の概略を示すフローチャートである。
【図１６】第５の実施形態に係る携帯電話機において電源キーと消音キーの操作タイミングを時間の経過と共に表わした図である。
【図１７】従来の携帯電話機の概略構成を示すブロック図である。
【符号の説明】
【００５６】
１  携帯電話機
２  操作部
２ａ  電源キー
２ｂ  消音キー
３  表示部
４  送話部
５  受話部
６  アンテナ部
７  スピーカ
１０  電源キー
１１  消音キー
１２  キー操作検出部
１２ａ  ＡＮＤ判定部
１２ｂ  タイマ判定部
１２ｃ  モード判定部
１４  起動制御部
１５  メモリー部
１６  出力制御部
１７  表示部
１８  音声出力部
１９  バイブレータ部
２０  キー操作検出部
２０ａ  ＡＮＤ判定部
２０ｂ  タイマ判定部
２０ｃ  モード判定部
３０  キー操作検出部
３０ａ  タイマ判定部
３０ｂ  モード判定部
４０  キー操作検出部
４０ａ  タイマ判定部
４０ｂ  モード判定部
【図１】
2006180142.tif 000003
【図２】
2006180142.tif 000004
【図３】
2006180142.tif 000005
【図４】
2006180142.tif 000006
【図５】
2006180142.tif 000007
【図６】
2006180142.tif 000008
【図７】
2006180142.tif 000009
【図８】
2006180142.tif 000010
【図９】
2006180142.tif 000011
【図１０】
2006180142.tif 000012
【図１１】
2006180142.tif 000013
【図１２】
2006180142.tif 000014
【図１３】
2006180142.tif 000015
【図１４】
2006180142.tif 000016
【図１５】
2006180142.tif 000017
【図１６】
2006180142.tif 000018
【図１７】
2006180142.tif 000019